(57)【要約】【課題】文書情報内における記述が、検索キーワードに対して全体的にポジティブな文脈で記述されているのか、ネガティブな文脈で記述されているのかの、きめの細かい文書検索を行うことができる文書検索サーバ、文書検索システム及び文書検索方法を提供すること。【解決手段】検索キーワード、及び、文書情報内における前記検索キーワードを含む記述がポジティブ部分とネガティブ部分との割合であるネガポジ割合を少なくとも含む検索条件の入力を受け付ける検索条件入力処理部５１と、文書検索条件に合致する文書情報を検索する文書検索部５２と、文書検索部５２によって検索された文書情報及び文書情報に関連する情報を表示部に表示する処理を行う表示処理部５３とを備える。【選択図】図２
2020057194.tif 000002
【特許請求の範囲】
【請求項１】
複数の文書情報の中から検索条件に合致する文書情報を検索する文書検索サーバであって、
検索キーワード、及び、前記文書情報内における前記検索キーワードを含む記述がポジティブ部分とネガティブ部分との割合であるネガポジ割合を少なくとも含む検索条件の入力を受け付ける検索条件入力処理部と、
前記検索条件に合致する前記文書情報を検索する文書検索部と、
前記文書検索部によって検索された文書情報及び前記文書情報に関連する情報を表示部に表示する処理を行う表示処理部と
を備えることを特徴とする文書検索サーバ。
【請求項２】
前記文書検索部は、入力されたネガポジ割合を中心とする所定範囲の割合に合致する文書情報を前記ネガポジ割合に合致する文書情報として抽出することを特徴とする請求項１に記載の文書検索サーバ。
【請求項３】
前記表示処理部は、
前記ネガポジ割合に対応する文書情報の一覧を表示する処理を行う一覧表示処理部と、
前記文書情報の一覧から選択された文書情報の内容を表示する処理を行う内容表示処理部と
を備えることを特徴とする請求項１又は２に記載の文書検索サーバ。
【請求項４】
前記内容表示処理部は、前記ポジティブ部分と前記ネガティブ部分とに対して異なる強調表示を行うことを特徴とする請求項３に記載の文書検索サーバ。
【請求項５】
前記文書情報の一覧から選択されて前記内容表示処理部によって表示された文書情報内のページに対するページ単位のネガポジ割合のページ別分布推移を表示する処理を行うページ別分布推移表示処理部を備えたことを特徴とする請求項３又は４に記載の文書検索サーバ。
【請求項６】
前記内容表示処理部は、前記ページ別分布推移表示処理部が表示する前記ページ別分布推移に対するページ位置の選択によって前記内容表示処理部が表示する表示ページを、選択したページに移動させることを特徴とする請求項５に記載の文書検索サーバ。
【請求項７】
前記検索条件入力処理部は、検索キーワード、及び、前記ポジティブ部分あるいは前記ネガティブ部分を含む文書情報であること、を少なくとも含む検索条件の入力を受け付け、
前記表示処理部は、前記ポジティブ部分あるいは前記ネガティブ部分を含む文書情報であることの検索条件に合致する文書情報に対して、前記ネガポジ割合の変化に対する文書情報の個数分布を表示する処理を行うことを特徴とする請求項１〜６のいずれか一つに記載の文書検索サーバ。
【請求項８】
前記検索条件入力処理部は、前記ネガポジ割合の可変入力が可能なスライダー部品であることを特徴とする請求項１〜７のいずれか一つに記載の文書検索サーバ。
【請求項９】
請求項１〜８のいずれか一つに記載の文書検索サーバと、
ネットワークを介して前記文書検索サーバに接続する端末装置と
を備え、
前記端末装置は、
前記検索条件を含む各種情報を入力する入力部と、
前記表示処理部によって表示処理された内容を表示する表示部と
を備えたことを特徴とする文書検索システム。
【請求項１０】
複数の文書情報の中から検索条件に合致する文書情報を検索する文書検索方法であって、
検索キーワード、及び、前記文書情報内における前記検索キーワードを含む記述がポジティブ部分とネガティブ部分との割合であるネガポジ割合を少なくとも含む検索条件を入力する検索条件入力ステップと、
前記検索条件に合致する前記文書情報を検索する文書検索ステップと、
前記文書検索ステップによって検索された文書情報及び前記文書情報に関連する情報を表示する表示ステップと
を含むことを特徴とする文書検索方法。
【請求項１１】
前記文書検索ステップは、入力されたネガポジ割合を中心とする所定範囲の割合に合致する文書情報を前記ネガポジ割合に合致する文書情報として抽出することを特徴とする請求項１０に記載の文書検索方法。
【請求項１２】
前記表示ステップは、
前記ネガポジ割合に対応する文書情報の一覧を表示する一覧表示ステップと、
前記文書情報の一覧から選択された文書情報の内容を表示する内容表示ステップと
を含むことを特徴とする請求項１０又は１１に記載の文書検索方法。
【請求項１３】
前記内容表示ステップは、前記ポジティブ部分と前記ネガティブ部分とに対して異なる強調表示を行うことを特徴とする請求項１２に記載の文書検索方法。
【請求項１４】
前記文書情報の一覧から選択されて表示された文書情報内のページに対するページ単位のネガポジ割合のページ別分布推移を表示する請求項１２又は１３に記載の文書検索方法。
【請求項１５】
前記内容表示ステップは、前記ページ別分布推移に対するページ位置の選択によって表示ページを、選択したページに移動させることを特徴とする請求項１４に記載の文書検索方法。
【請求項１６】
前記検索条件入力ステップは、検索キーワード、及び、前記ポジティブ部分あるいは前記ネガティブ部分を含む文書情報であること、を少なくとも含む検索条件の入力を受け付け、
前記表示ステップは、前記ポジティブ部分あるいは前記ネガティブ部分を含む文書情報であることの検索条件に合致する文書情報に対して、前記ネガポジ割合の変化に対する文書情報の個数分布を表示する処理を行うことを特徴とする請求項１０〜１５のいずれか一つに記載の文書検索方法。
【請求項１７】
前記検索条件入力ステップは、前記ネガポジ割合の可変入力が可能なスライダー部品上で前記割合を入力することを特徴とする請求項１０〜１６のいずれか一つに記載の文書検索方法。
【発明の詳細な説明】
【技術分野】
【０００１】
本発明は、文書情報内における記述が、検索キーワードに対して全体的にポジティブな文脈で記述されているのか、ネガティブな文脈で記述されているのかの、詳細な文章検索を簡易に行うことができる文書検索サーバ、文書検索システム及び文書検索方法に関する。
【背景技術】
【０００２】
従来、多数の文献などの文書情報の中から、検索キーワードを用いて所望の文書情報を検索し、一覧表示する文書検索装置がある（例えば、特許文献１参照）。
【先行技術文献】
【特許文献】
【０００３】
【特許文献１】特開２０１３−４１３８５号公報
【発明の概要】
【発明が解決しようとする課題】
【０００４】
しかしながら、従来の文書検索装置では、検索キーワードに合致する文献などの文書情報を検索できても、文書情報の内容が検索キーワードに対してポジティブな（肯定的な、あるいは関係する方向の）文脈で記述されているのか、ネガティブな（否定的な、あるいは関係しない方向）文脈で記述されているのかの、詳細な文章検索を簡易に行うことは難しいという課題があった。この難しさは、１つの文書情報内の各文脈に対して、ポジティブな文脈とネガティブな文脈との判定（ネガポジ判定）を行うことができても、１つの検索対象の文書情報内にポジティブな文脈とネガティブな文脈とが混在する場合があるため、１つの文書情報が検索キーワードに対してポジティブな文書情報であるのか、ネガティブな文書情報であるのかの単純な絞り込み分類ができないことに起因する。
【０００５】
本発明は、上記従来技術の課題を解決するためになされたものであって、文書情報内における記述が、検索キーワードに対して全体的にポジティブな文脈で記述されているのか、ネガティブな文脈で記述されているのかの、詳細な文章検索を簡易に行うことができる文書検索サーバ、文書検索システム及び文書検索方法を提供することを目的とする。
【課題を解決するための手段】
【０００６】
上記の課題を解決するため、本発明は、複数の文書情報の中から検索条件に合致する文書情報を検索する文書検索サーバであって、検索キーワード、及び、前記文書情報内における前記検索キーワードを含む記述がポジティブ部分とネガティブ部分との割合であるネガポジ割合を少なくとも含む検索条件の入力を受け付ける検索条件入力処理部と、前記検索条件に合致する前記文書情報を検索する文書検索部と、前記文書検索部によって検索された文書情報及び前記文書情報に関連する情報を表示部に表示する処理を行う表示処理部とを備えることを特徴とする。
【０００７】
また、本発明は、上記の発明において、前記文書検索部は、入力されたネガポジ割合を中心とする所定範囲の割合に合致する文書情報を前記ネガポジ割合に合致する文書情報として抽出することを特徴とする。
【０００８】
また、本発明は、上記の発明において、前記表示処理部は、前記ネガポジ割合に対応する文書情報の一覧を表示する処理を行う一覧表示処理部と、前記文書情報の一覧から選択された文書情報の内容を表示する処理を行う内容表示処理部とを備えることを特徴とする。
【０００９】
また、本発明は、上記の発明において、前記内容表示処理部は、前記ポジティブ部分と前記ネガティブ部分とに対して異なる強調表示を行うことを特徴とする。
【００１０】
また、本発明は、上記の発明において、前記文書情報の一覧から選択されて前記内容表示処理部によって表示された文書情報内のページに対するページ単位のネガポジ割合のページ別分布推移を表示する処理を行うページ別分布推移表示処理部を備えたことを特徴とする。
【００１１】
また、本発明は、上記の発明において、前記内容表示処理部は、前記ページ別分布推移表示処理部が表示する前記ページ別分布推移に対するページ位置の選択によって前記内容表示処理部が表示する表示ページを、選択したページに移動させることを特徴とする。
【００１２】
また、本発明は、上記の発明において、前記検索条件入力処理部は、検索キーワード、及び、前記ポジティブ部分あるいは前記ネガティブ部分を含む文書情報であること、を少なくとも含む検索条件の入力を受け付け、前記表示処理部は、前記ポジティブ部分あるいは前記ネガティブ部分を含む文書情報であることの検索条件に合致する文書情報に対して、前記ネガポジ割合の変化に対する文書情報の個数分布を表示する処理を行うことを特徴とする。
【００１３】
また、本発明は、上記の発明において、前記検索条件入力処理部は、前記ネガポジ割合の可変入力が可能なスライダー部品であることを特徴とする。
【００１４】
また、本発明は、上記の発明のいずれか一つに記載の文書検索サーバと、ネットワークを介して前記文書検索サーバに接続する端末装置とを備え、前記端末装置は、前記検索条件を含む各種情報を入力する入力部と、前記表示処理部によって表示処理された内容を表示する表示部とを備えたことを特徴とする。
【００１５】
また、本発明は、複数の文書情報の中から検索条件に合致する文書情報を検索する文書検索方法であって、検索キーワード、及び、前記文書情報内における前記検索キーワードを含む記述がポジティブ部分とネガティブ部分との割合であるネガポジ割合を少なくとも含む検索条件を入力する検索条件入力ステップと、前記検索条件に合致する前記文書情報を検索する文書検索ステップと、前記文書検索ステップによって検索された文書情報及び前記文書情報に関連する情報を表示する表示ステップとを含むことを特徴とする。
【００１６】
また、本発明は、上記の発明において、前記文書検索ステップは、入力されたネガポジ割合を中心とする所定範囲の割合に合致する文書情報を前記ネガポジ割合に合致する文書情報として抽出することを特徴とする。
【００１７】
また、本発明は、上記の発明において、前記表示ステップは、前記ネガポジ割合に対応する文書情報の一覧を表示する一覧表示ステップと、前記文書情報の一覧から選択された文書情報の内容を表示する内容表示ステップとを含むことを特徴とする。
【００１８】
また、本発明は、上記の発明において、前記内容表示ステップは、前記ポジティブ部分と前記ネガティブ部分とに対して異なる強調表示を行うことを特徴とする。
【００１９】
また、本発明は、上記の発明において、前記文書情報の一覧から選択されて表示された文書情報内のページに対するページ単位のネガポジ割合のページ別分布推移を表示する。
【００２０】
また、本発明は、上記の発明において、前記内容表示ステップは、前記ページ別分布推移に対するページ位置の選択によって表示ページを、選択したページに移動させることを特徴とする。
【００２１】
また、本発明は、上記の発明において、前記検索条件入力ステップは、検索キーワード、及び、前記ポジティブ部分あるいは前記ネガティブ部分を含む文書情報であること、を少なくとも含む検索条件の入力を受け付け、前記表示ステップは、前記ポジティブ部分あるいは前記ネガティブ部分を含む文書情報であることの検索条件に合致する文書情報に対して、前記ネガポジ割合の変化に対する文書情報の個数分布を表示する処理を行うことを特徴とする。
【００２２】
また、本発明は、上記の発明において、前記検索条件入力ステップは、前記ネガポジ割合の可変入力が可能なスライダー部品上で前記割合を入力することを特徴とする。
【発明の効果】
【００２３】
本発明によれば、文書情報内における記述が、検索キーワードに対して全体的にポジティブな文脈で記述されているのか、ネガティブな文脈で記述されているのかの、詳細な文章検索を簡易に行うことができる。
【図面の簡単な説明】
【００２４】
【図１】図１は、本実施例に係る文書検索サーバを含む文書検索システムの概要を説明するための説明図である。
【図２】図２は、図１に示した文書検索サーバを含む文書検索システムの構成を示す機能ブロック図である。
【図３】図３は、図２に示した端末装置の構成を示す機能ブロック図である。
【図４】図４は、制御部による文書検索処理手順を示すフローチャートである。
【図５】図５は、文書検索処理に伴う表示の一例を示す図である。
【図６】図６は、文書検索処理に伴う表示の他の例を示す図である。
【図７】図７は、制御部による文書検索処理手順の変形例を示すフローチャートである。
【発明を実施するための形態】
【００２５】
以下に、添付図面を参照して、本発明に係る文書検索サーバ、文書検索システム及び文書検索方法の好適な実施例を詳細に説明する。
【実施例】
【００２６】
＜文書検索システムの概要＞
まず、本実施例に係る文書検索システムの概要について説明する。図１は、本実施例に係る文書検索サーバ１０を含む文書検索システムの概要を説明するための説明図である。
【００２７】
図１に示すように、この文書検索システムは、文書検索サーバ１０に端末装置６０が接続される。端末装置６０は、例えば、製薬会社で学術文献等を取り扱う文献検索依頼者が取り扱うパーソナルコンピュータなどである。まず、文献検索依頼者は、端末装置６０から、検索キーワード、及び、文書情報内における検索キーワードを含む記述がポジティブ（肯定的な、あるいは関連する）部分とネガティブ（否定的な、あるいは関連しない）部分との割合であるネガポジ割合を少なくとも含む検索条件を文書検索サーバ１０にアップロードする（ステップＳ１）。
【００２８】
ここで、「検索キーワードを含む記述がポジティブ」であるとは、例えば「糖尿病  男性  副作用」という検索キーワードがある場合に、最後尾以外の検索キーワード（糖尿病  男性）が最後尾の検索キーワード（副作用）に肯定的に作用する場合を意味する。つまり、糖尿病を持つ男性に副作用が生じるケースがポジティブとなる。一方、「検索キーワードを含む記述がネガティブ」であるとは、例えば「糖尿病  男性  副作用」という検索キーワードがある場合に、最後尾以外の検索キーワード（糖尿病  男性）が最後尾の検索キーワード（副作用）に否定的に作用する場合を意味する。つまり、糖尿病を持つ男性に副作用が生じないケースがネガティブとなる。
【００２９】
文書検索サーバ１０は、受け付けた検索条件に合致する文書情報を検索し、検索された文書情報及び文書情報に関連する情報を検索結果として端末装置６０側に送り、端末装置６０の表示部に表示する処理を行う（ステップＳ２）。ここで、文書検索サーバ１０は、入力されたネガポジ割合を中心とする所定範囲の割合に合致する文書情報をネガポジ割合に合致する文書情報として抽出する。例えば、ネガポジ割合Ｒは、ポジティブ部分の数をＰとしてネガティブ部分の数をＮとして、
Ｒ＝（Ｐ−Ｎ）／（Ｐ＋Ｎ）
として表すこができる。また、ネガポジ割合Ｒを百分率で表すことができる。例えば、ポジティブ部分の数Ｐが３で、ネガティブ部分の数Ｎが１の場合、Ｒ＝２／４＝０．５となり、ネガポジ割合Ｒは＋５０％となる。逆に、ポジティブ部分の数Ｐが１で、ネガティブ部分の数Ｎが３の場合、Ｒ＝−０．５となり、ネガポジ割合Ｒは−５０％となる。
【００３０】
また、ネガポジ割合Ｒの条件指定は１点のみであるので、ネガポジ割合Ｒの条件指定があった場合、文書検索サーバ１０は、ネガポジ割合Ｒの所定範囲、例えばＲ±１０％の範囲の文書情報を抽出することが好ましい。なお、ネガポジ割合Ｒを０％として指定する場合、ポジティブ部分及びネガティブ部分の記述が必ず存在することが前提となる。すなわち、ネガポジ割合Ｒを検索条件として指定する場合、ポジティブ部分あるいはネガティブ部分の記述が必ず存在する文書情報が抽出対象となる。
【００３１】
文書検索サーバ１０は、検索条件として検索キーワード及びネガポジ割合が入力された場合、検索キーワードとネガポジ割合に合致する文書情報の一覧表示を行う。そして、一覧表示された文書情報の中から選択された文書情報の内容を表示する処理を行う。
【００３２】
また、文書検索サーバ１０は、文書情報の内容表示に際し、ポジティブ部分とネガティブ部分とに対して異なる強調表示を行うようにしている。この強調表示を行うことによって、ポジティブ部分とネガティブ部分との記述箇所を迅速に把握することができる。
【００３３】
さらに、文書検索サーバ１０は、文書情報の一覧表示から選択されて内容表示された文書情報内のページに対するページ単位のネガポジ割合のページ別分布推移を表示する処理を行う。これにより、文書情報内におけるポジティブ部分の記述とネガティブ部分の記述とのページ推移を容易に把握することができる。
【００３４】
ここで、ページ別分布推移に対するページ位置の選択によって、内容表示されている表示ページから、選択したページに移動させるようにしている。これにより、関心のあるページを迅速に表示することができる。
【００３５】
なお、ネガポジ割合を指定するのではなく、ポジティブ部分あるいはネガティブ部分の記述のある文書情報を全て抽出するようにしてもよい。そして、この場合、抽出された文書情報に対してネガポジ割合の変化に対する文書情報の個数分布を表示する処理を行うようにしてもよい。
【００３６】
このようにして、本実施例では、ネガポジ割合を検索条件として指定することができるので、文書情報内における記述が、検索キーワードに対して全体的にポジティブな文脈で記述されているのか、ネガティブな文脈で記述されているのかの、きめの細かい文書検索を行うことができる。
【００３７】
＜文書検索サーバの構成＞
次に、図１に示した文書検索サーバ１０の構成について説明する。図２は、図１に示した文書検索サーバ１０を含む文書検索システムの構成を示す機能ブロック図である。文書検索サーバ１０には、ネットワークＮを介して端末装置６０が接続されている。文書検索サーバ１０は、入出力部２０、通信部３０、記憶部４０及び制御部５０を有する。
【００３８】
入出力部２０は、各種操作入力及び表示出力等を行うタッチパネル式ディスプレイなどの入出力インタフェースである。通信部３０は、ネットワークＮを介して端末装置６０と通信を行うための通信インタフェースである。
【００３９】
記憶部４０は、ハードディスク装置や不揮発性メモリ等からなる記憶デバイスであり、文書情報４１、文書属性情報４２を記憶する。
【００４０】
制御部５０は、文書検索サーバ１０の全体を制御する制御部であり、検索条件入力処理部５１、文書検索部５２、表示処理部５３を有する。制御部５０は、これらの機能部に対応するプログラムを不揮発性メモリや磁気ディスク装置などの記憶装置に記憶しておき、これらのプログラムをメモリにロードして、ＣＰＵで実行することで、対応するプロセスを実行させることになる。
【００４１】
検索条件入力処理部５１は、通信部３０を介して端末装置６０から、検索キーワード、及び、文書情報４１内における検索キーワードを含む記述がポジティブ部分とネガティブ部分との割合であるネガポジ割合を少なくとも含む検索条件の入力を受け付ける。また、検索条件入力処理部５１は、ポジティブ部分あるいはネガティブ部分を含む文書情報であることを検索条件として受け付ける。
【００４２】
文書検索部５２は、受け付けた検索条件に合致する文書情報４１を検索する。文書検索部５２は、文書情報４１の迅速な検索を行う場合、文書情報４１に対する文書属性情報４２を用いて検索する。文書情報４１の内容全体を検索対象とすると時間がかかるからである。
【００４３】
表示処理部５３は、文書検索部５２によって検索された文書情報４１及び文書情報４１に関連する情報を端末装置６０の表示部に表示する処理を行う。表示処理部５３は、一覧表示処理部５４、内容表示処理部５５、分布表示処理部５６及びページ別分布推移表示処理部５７を有する。
【００４４】
一覧表示処理部５４は、ネガポジ割合Ｒに対応する文書情報４１の一覧を表示する処理を行う。また、内容表示処理部５５は、文書情報４１の一覧から選択された文書情報４１の内容を表示する処理を行う。内容表示処理部５５は、ポジティブ部分とネガティブ部分とに対して異なる強調表示を行う。例えば、ポジティブ部分には、文字または領域を青色または緑色で強調表示し、ネガティブ部分には、文字または領域を赤色で強調表示する。
【００４５】
分布表示処理部５６は、ポジティブ部分あるいはネガティブ部分を含む文書情報であることの検索条件に合致する文書情報４１に対して、ネガポジ割合Ｒの変化に対する文書情報４１の個数分布を表示する処理を行う。
【００４６】
ページ別分布推移表示処理部５７は、文書情報の一覧から選択されて内容表示された文書情報内のページに対するページ単位のネガポジ割合のページ別分布推移を表示する処理を行う。
【００４７】
＜端末装置の構成＞
次に、図２に示した端末装置６０の構成について説明する。図３は、図２に示した端末装置６０の構成を示す機能ブロック図である。端末装置６０は、入力部６１、表示部６２、通信部６３、記憶部６４及び制御部６５を有する。
【００４８】
入力部６１は、キーボード又はマウス等の入力デバイスであり、表示部６２は、液晶パネル等の表示デバイスであり、通信部６３は、文書検索サーバ１０に接続するための通信インタフェース部である。なお、入力部６１及び表示部６２は、例えばタッチパネル式ディスプレイによる一体型の入出力部であってもよい。また、端末装置６０は、携帯端末装置であってもよい。
【００４９】
記憶部６４は、ハードディスク装置や不揮発性メモリ等からなる記憶デバイスであり、文書情報４１、文書属性情報４２などを記憶する。
【００５０】
制御部６５は、端末装置６０の全体を制御する制御部であり、検索依頼処理部６６を有する。制御部６５は、この機能部に対応するプログラムを不揮発性メモリや磁気ディスク装置などの記憶装置に記憶しておき、このプログラムをメモリにロードして、ＣＰＵで実行することで、対応するプロセスを実行させることになる。
【００５１】
検索依頼処理部６６は、入力部６１によって受け付けた検索条件を文書検索サーバ１０に送信し、文書検索サーバ１０の検索結果をうけて検索結果を表示部６２に表示させる処理を行う。
【００５２】
＜文書検索処理＞
次に、制御部５０による文書検索処理手順について説明する。図４は、制御部５０による文書検索処理手順を示すフローチャートである。図４に示すように、まず、検索条件入力処理部５１は、検索キーワード、及び、ネガポジ割合を含む検索条件を受け付ける（ステップＳ１０１）。その後、文書検索部５２は、受け付けた検索条件に合致する文書情報４１を検索する処理を行う（ステップＳ１０２）。そして、一覧表示処理部５４は、検索された文書情報の一覧表示を行う（ステップＳ１０３）。
【００５３】
その後、表示処理部５３は、一覧表示された文書情報４１の中から１つの文書情報４１が選択されたか否かを判定する（ステップＳ１０４）。文書情報４１が選択されていないならば（ステップＳ１０４；Ｎｏ）、ステップＳ１１１に移行する。一方、文書情報４１が選択されているならば（ステップＳ１０４；Ｙｅｓ）、選択した文書情報４１の内容表示及びネガポジ判定された部分の強調表示を行う（ステップＳ１０５）。そして、ページ別分布推移表示処理部５７は、表示された文書情報内のページに対するページ単位のネガポジ割合のページ別分布推移を表示する（ステップＳ１０６）。
【００５４】
その後、ページ別分布推移上のページが選択されたか否かを判定する（ステップＳ１０７）。ページが選択されないならば（ステップＳ１０７；Ｎｏ）、ステップＳ１１０に移行する。一方、ページが選択されたならば（ステップＳ１０７；Ｙｅｓ）、現在表示されているページから、選択されたページに移動する（ステップＳ１０８）。
【００５５】
その後、ページ別分布推移上で他のページが選択されたか否かを判定する（ステップＳ１０９）。他のページが選択されたならば（ステップＳ１０９；Ｙｅｓ）、ステップＳ１０８に移行して選択されたページを表示する。一方、他のページが選択されないならば（ステップＳ１０９；Ｎｏ）、さらに一覧表示から他の文書情報４１が選択されたか否かを判定する（ステップＳ１１０）。一覧表示から他の文書情報４１が選択されたならば（ステップＳ１１０；Ｙｅｓ）、ステップＳ１０５に移行して、選択した文書情報４１の内容表示、及びネガポジ判定された部分の強調表示を行う。一方、一覧表示から他の文書情報が選択されないならば（ステップＳ１１０；Ｎｏ）、さらに終了指示があった否かを判定する（ステップＳ１１１）。終了指示がないならば（ステップＳ１１１；Ｎｏ）、ステップＳ１０１に移行して上記の処理を繰り返す。一方、終了指示があったならば（ステップＳ１１１；Ｙｅｓ）、本処理を終了する。
【００５６】
＜文書検索処理における表示の一例＞
次に、文書検索処理における表示の一例について説明する。図５は、文書検索処理に伴う表示の一例を示す図である。図５（ａ）に示すように、検索条件入力処理部５１は、表示部６２の表示領域Ｅ１に検索キーワードの入力欄を表示し、例えば入力欄に入力された、糖尿病、男性、副作用の検索キーワードを受け付ける。
【００５７】
さらに、図５（ｂ）に示すように、検索条件入力処理部５１は、表示部６２にネガポジ割合の可変入力を容易に行うことができるＧＵＩのネガポジ部品であるスライダーＳＲ１を表示する。そして、スライダーボタンＢ１を所望の位置に移動させることによって移動位置に対応するネガポジ割合Ｒを検索条件として指定することができる。図５（ｂ）では、ネガポジ割合Ｒ＝＋２５％が選択されている。
【００５８】
ここで、スライダーボタンＢ１が指定したネガポジ割合Ｒに合致する文書情報４１としての文献Ａ〜文献Ｄが表示部６２の表示領域Ｅ２上に一覧表示される。この一覧表示から、図５（ｃ）に示すように文献Ａが選択されると、図５（ｄ）に示すように、表示部６２の表示領域Ｅ３に文献Ａの内容が表示される。この内容表示では、ポジティブ部分（○で示す領域）を緑色に強調表示し、ネガティブ部分（×で示す領域）を赤色に強調表示している。
【００５９】
さらに、図５（ｅ）に示すように、内容表示の表示領域Ｅ３の近くの表示領域に、ページの変化に伴うページ単位のポジティブ割合の変化をページ別分布推移として表示する。このページ別分布推移上には、選択ボタンＢ２がスライドするスライダーＳＲ２がＧＵＩ部品として表示されている。このページ別分布推移を表示することによって、文献Ａ内におけるポジティブ部分が多いページ、あるいはネガティブ部分が多いページの分布を容易に認識することができる。
【００６０】
ここで、選択ボタンＢ２で所望のページを選択すると、現在表示しているページを、選択したページに切り替える。これにより、関心のあるページにおけるポジティブ部分あるいはネガティブ部分を詳細かつ簡易に検索することができる。
【００６１】
＜文書検索処理における表示の他の例＞
次に、文書検索処理における表示の他の例について説明する。図６は、文書検索処理に伴う表示の他の例を示す図である。図６（ａ）に示すように、図５（ａ）と同様に、検索条件入力処理部５１は、表示部６２の表示領域Ｅ１に検索キーワードの入力欄を表示し、例えば入力欄に入力された、糖尿病、男性、副作用の検索キーワードを受け付ける。
【００６２】
さらに、図６（ｂ）に示すように、検索条件入力処理部５１は、全ネガポジ割合選択ボタンＢ１０を表示する。全ネガポジ割合選択ボタンＢ１０は、少なくともポジティブ部分あるいはネガティブ部分を含むことを検索条件として指定するボタンである。この全ネガポジ割合選択ボタンＢ１０が選択されると、図６（ｄ）に示すネガポジ割合Ｒを検索条件として選択するスライダーＳＲ１のネガポジ割合Ｒに対応付け、図６（ｃ）に示すように、ネガポジ割合Ｒの変化に対する文書情報の個数分布を表示する。
【００６３】
そして、この個数分布を参照して所望のネガポジ割合ＲをスライダーボタンＢ１で選択すると、選択した位置に対応するネガポジ割合をもつ、文献が一覧表示され、その後の表示処理は、図５と同じである。
【００６４】
＜文書検索処理の変形例＞
次に、制御部５０による文書検索処理手順の変形例について説明する。図７は、制御部５０による文書検索処理手順の変形例を示すフローチャートである。図７に示すように、まず、検索条件入力処理部５１は、検索キーワード、及び、全ネガポジ割合選択ボタンＢ１０の選択による、少なくともポジティブ部分またはネガティブ部分を含むことの検索条件を受け付ける（ステップＳ２０１）。その後、文書検索部５２は、受け付けた検索条件に合致する文書情報４１を検索する処理を行う（ステップＳ２０２）。そして、図６（ｃ）に示したネガポジ割合に対する個数分布を表示する（ステップＳ２０３）。そして、個数分布における現在のネガポジ割合位置におけるネガポジ割合をもつ文書情報の一覧表示を行う（ステップＳ２０４）。その後のステップＳ２０５〜Ｓ２１１の処理は、ステップＳ１０４〜Ｓ１１１の処理と同じ処理を行う。ステップＳ２１２では、ネガポジ割合Ｒの変更を行うか否かの判定を行う（ステップＳ２１２）。ネガポジ割合Ｒの変更を行うならば（ステップＳ２１２；Ｙｅｓ）、ステップＳ２０４に移行して上記の処理を繰り返す。一方、ネガポジ割合Ｒの変更を行わないならば（ステップＳ２１２；Ｎｏ）、本処理を終了する。
【００６５】
なお、上記の実施例では、文書情報４１、文書属性情報４２などを端末装置６０の記憶部６４に記憶する場合を示したが、本発明はこれに限定されるものではなく、これらの情報を記憶部６４に記憶しないようにすることもできる。
【００６６】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００６７】
本発明に係る文書検索サーバ、文書検索システム及び文書検索方法は、文書情報内における記述が、検索キーワードに対して全体的にポジティブな文脈で記述されているのか、ネガティブな文脈で記述されているのかの、きめの細かい文書検索を行いたい場合に有用である。
【符号の説明】
【００６８】
１０  文書検索サーバ
２０  入出力部
３０，６３  通信部
４０，６４  記憶部
４１  文書情報
４２  文書属性情報
５０，６５  制御部
５１  検索条件入力処理部
５２  文書検索部
５３  表示処理部
５４  一覧表示処理部
５５  内容表示処理部
５６  分布表示処理部
５７  ページ別分布推移表示処理部
６０  端末装置
６１  入力部
６２  表示部
６６  検索依頼処理部
Ｂ１  スライダーボタン
Ｂ１０  全ネガポジ割合選択ボタン
Ｂ２  選択ボタン
Ｅ１〜Ｅ３  表示領域
Ｎ  ネットワーク
Ｒ  ネガポジ割合
ＳＲ１，ＳＲ２  スライダー
【図１】
2020057194.tif 000003
【図２】
2020057194.tif 000004
【図３】
2020057194.tif 000005
【図４】
2020057194.tif 000006
【図５】
2020057194.tif 000007
【図６】
2020057194.tif 000008
【図７】
2020057194.tif 000009
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
複数の文書情報の中から検索条件に合致する文書情報を検索する文書検索サーバであって、
検索キーワード、及び、前記文書情報内における前記検索キーワードを含む記述がポジティブ部分とネガティブ部分との割合であるネガポジ割合を少なくとも含む検索条件の入力を受け付ける検索条件入力処理部と、
前記検索条件に合致する前記文書情報を検索する文書検索部と、
前記文書検索部によって検索された文書情報及び前記文書情報に関連する情報を表示部に表示する処理を行う表示処理部と
を備えることを特徴とする文書検索サーバ。
【請求項２】
前記文書検索部は、入力されたネガポジ割合を中心とする所定範囲の割合に合致する文書情報を前記ネガポジ割合に合致する文書情報として抽出することを特徴とする請求項１に記載の文書検索サーバ。
【請求項３】
前記表示処理部は、
前記ネガポジ割合に対応する文書情報の一覧を表示する処理を行う一覧表示処理部と、
前記文書情報の一覧から選択された文書情報の内容を表示する処理を行う内容表示処理部と
を備えることを特徴とする請求項１又は２に記載の文書検索サーバ。
【請求項４】
前記内容表示処理部は、前記ポジティブ部分と前記ネガティブ部分とに対して異なる強調表示を行うことを特徴とする請求項３に記載の文書検索サーバ。
【請求項５】
前記文書情報の一覧から選択されて前記内容表示処理部によって表示された文書情報内のページに対するページ単位のネガポジ割合のページ別分布推移を表示する処理を行うページ別分布推移表示処理部を備えたことを特徴とする請求項３又は４に記載の文書検索サーバ。
【請求項６】
前記内容表示処理部は、前記ページ別分布推移表示処理部が表示する前記ページ別分布推移に対するページ位置の選択によって前記内容表示処理部が表示する表示ページを、選択したページに移動させることを特徴とする請求項５に記載の文書検索サーバ。
【請求項７】
前記検索条件入力処理部は、検索キーワード、及び、前記ポジティブ部分あるいは前記ネガティブ部分を含む文書情報であること、を少なくとも含む検索条件の入力を受け付け、
前記表示処理部は、前記ポジティブ部分あるいは前記ネガティブ部分を含む文書情報であることの検索条件に合致する文書情報に対して、前記ネガポジ割合の変化に対する文書情報の個数分布を表示する処理を行うことを特徴とする請求項１〜６のいずれか一つに記載の文書検索サーバ。
【請求項８】
前記検索条件入力処理部は、前記ネガポジ割合の可変入力が可能なスライダー部品であることを特徴とする請求項１〜７のいずれか一つに記載の文書検索サーバ。
【請求項９】
請求項１〜８のいずれか一つに記載の文書検索サーバと、
ネットワークを介して前記文書検索サーバに接続する端末装置と
を備え、
前記端末装置は、
前記検索条件を含む各種情報を入力する入力部と、
前記表示処理部によって表示処理された内容を表示する表示部と
を備えたことを特徴とする文書検索システム。
【請求項１０】
複数の文書情報の中から検索条件に合致する文書情報を検索する文書検索方法であって、
検索キーワード、及び、前記文書情報内における前記検索キーワードを含む記述がポジティブ部分とネガティブ部分との割合であるネガポジ割合を少なくとも含む検索条件の入力を受け付ける検索条件入力ステップと、
前記検索条件に合致する前記文書情報を検索する文書検索ステップと、
前記文書検索ステップによって検索された文書情報及び前記文書情報に関連する情報を表示する表示ステップと
を文書検索サーバが実行することを特徴とする文書検索方法。
【請求項１１】
前記文書検索ステップは、前記検索条件に含まれるネガポジ割合を中心とする所定範囲の割合に合致する文書情報を前記ネガポジ割合に合致する文書情報として抽出することを特徴とする請求項１０に記載の文書検索方法。
【請求項１２】
前記表示ステップは、
前記ネガポジ割合に対応する文書情報の一覧を表示する一覧表示ステップと、
前記文書情報の一覧から選択された文書情報の内容を表示する内容表示ステップと
を含むことを特徴とする請求項１０又は１１に記載の文書検索方法。
【請求項１３】
前記内容表示ステップは、前記ポジティブ部分と前記ネガティブ部分とに対して異なる強調表示を行うことを特徴とする請求項１２に記載の文書検索方法。
【請求項１４】
前記文書情報の一覧から選択されて表示された文書情報内のページに対するページ単位のネガポジ割合のページ別分布推移を表示する請求項１２又は１３に記載の文書検索方法。
【請求項１５】
前記内容表示ステップは、前記ページ別分布推移に対するページ位置の選択によって表示ページを、選択したページに移動させることを特徴とする請求項１４に記載の文書検索方法。
【請求項１６】
前記検索条件入力ステップは、検索キーワード、及び、前記ポジティブ部分あるいは前記ネガティブ部分を含む文書情報であること、を少なくとも含む検索条件の入力を受け付け、
前記表示ステップは、前記ポジティブ部分あるいは前記ネガティブ部分を含む文書情報であることの検索条件に合致する文書情報に対して、前記ネガポジ割合の変化に対する文書情報の個数分布を表示する処理を行うことを特徴とする請求項１０〜１５のいずれか一つに記載の文書検索方法。
【請求項１７】
前記検索条件入力ステップは、前記ネガポジ割合の可変入力が可能なスライダー部品上で前記割合の入力を受け付けることを特徴とする請求項１０〜１６のいずれか一つに記載の文書検索方法。
【手続補正２】
【補正対象書類名】明細書
【補正対象項目名】００１５
【補正方法】変更
【補正の内容】
【００１５】
また、本発明は、複数の文書情報の中から検索条件に合致する文書情報を検索する文書検索方法であって、検索キーワード、及び、前記文書情報内における前記検索キーワードを含む記述がポジティブ部分とネガティブ部分との割合であるネガポジ割合を少なくとも含む検索条件の入力を受け付ける検索条件入力ステップと、前記検索条件に合致する前記文書情報を検索する文書検索ステップと、前記文書検索ステップによって検索された文書情報及び前記文書情報に関連する情報を表示する表示ステップとを文書検索サーバが実行することを特徴とする。
【手続補正３】
【補正対象書類名】明細書
【補正対象項目名】００１６
【補正方法】変更
【補正の内容】
【００１６】
また、本発明は、上記の発明において、前記文書検索ステップは、前記検索条件に含まれるネガポジ割合を中心とする所定範囲の割合に合致する文書情報を前記ネガポジ割合に合致する文書情報として抽出することを特徴とする。
【手続補正４】
【補正対象書類名】明細書
【補正対象項目名】００２２
【補正方法】変更
【補正の内容】
【００２２】
また、本発明は、上記の発明において、前記検索条件入力ステップは、前記ネガポジ割合の可変入力が可能なスライダー部品上で前記割合の入力を受け付けることを特徴とする。